(57)【要約】【課題】超高層エレベータシャフト内の作業効率を向上できるアスベスト除去方法を提供すること。【解決手段】アスベスト除去方法は、エレベータシャフト１０に複数のフロアに亘る作業区画Ｐを設け、この作業区画Ｐの下端に作業床２０を設ける工程と、作業床２０上に、作業区画Ｐの上端まで延びる仮設足場３０を設ける工程と、作業床２０および仮設足場３０を利用してアスベストを除去する工程と、を備える。この発明によれば、仮設足場３０を組み立てる際に作業床２０で水平養生できるので、資材や工具が仮設足場３０上から落下した場合でも、この落下した資材や工具が作業床２０より下に落下することはない。よって、作業の安全性を確保できるうえに、超高層エレベータシャフト内の作業効率を向上できる。【選択図】図２
2011201613.tif 000002
【特許請求の範囲】
【請求項１】
超高層エレベータシャフト内のアスベストを除去するアスベスト除去方法であって、
前記エレベータシャフトに複数のフロアに亘る作業区画を設け、当該作業区画の下端に作業床を設ける工程と、
前記作業床上に、前記作業区画の上端まで延びる仮設足場を設ける工程と、
前記作業床および仮設足場を利用してアスベストを除去する工程と、を備えることを特徴とするアスベスト除去方法。
【請求項２】
前記作業区画の高さを、３１ｍ未満とすることを特徴とする請求項１に記載のアスベスト除去方法。
【請求項３】
前記作業床を、前記エレベータシャフト内に露出した建物本体梁材同士の間に架設された複数の大引き材と、当該大引き材同士の間に架設されたデッキプレートと、当該デッキプレート上に設置された複数の根太材と、を含んで構成することを特徴とする請求項１または２に記載のアスベスト除去方法。
【請求項４】
前記仮設足場を利用して当該仮設足場の直上の作業床を架設することで、最下階から上階に向かって順番に前記作業床および前記仮設足場を架設することを特徴とする請求項１から３のいずれかに記載のアスベスト除去方法。
【請求項５】
前記仮設足場に２段毎に水平ネットを張って水平養生することを特徴とする請求項１から４のいずれかに記載のアスベスト除去方法。
【請求項６】
前記エレベータシャフトには、複数のエレベータが収容され、
前記複数のエレベータが収容されるそれぞれの空間ごとに、前記エレベータシャフトを中間仮設壁で仕切ることを特徴とする請求項１から５のいずれかに記載のアスベスト除去方法。
【発明の詳細な説明】
【技術分野】
【０００１】
本発明は、アスベスト除去方法に関する。詳しくは、超高層エレベータシャフト内のアスベストを除去するアスベスト除去方法に関する。
【背景技術】
【０００２】
従来より、建物内のエレベータシャフト内の梁や壁には、耐火被覆としてアスベストが吹き付けられている。しかしながら、近年、吹き付けたアスベストが劣化しているため、アスベスト粉塵の飛散を防止しつつ、劣化したアスベストを除去する作業が行われる。
【０００３】
エレベータシャフト内のアスベストを除去する手法として、例えば、以下のような手法が提案されている。すなわち、エレベータシャフトを複数のフロアに亘る作業区画に分割し、１つの作業区画について、既設エレベータかごを用いてエレベータシャフト内に１フロアあるいは２フロア毎に作業床を設け、この作業床を利用してアスベストを除去する。この作業区画でのアスベスト除去作業が完了した後、直下の作業区画に移動して、同様の作業を繰り返す（特許文献１参照）。
【先行技術文献】
【特許文献】
【０００４】
【特許文献１】特開２００９−８４０４９号公報
【発明の概要】
【発明が解決しようとする課題】
【０００５】
ところで、以上のアスベスト除去方法では、１フロアあるいは２フロア毎に作業床を設けるため、多くの作業床を設ける必要がある。
しかしながら、作業床の組み立て作業では、作業床の直下がエレベータピットまでの吹き抜けとなるため、資材や工具の落下に注意して、特に慎重に作業する必要がある。そのため、実際には、作業床の組み立てや解体にかなりの作業手間がかかってしまい、作業効率が低い、という問題があった。
【０００６】
本発明は、超高層エレベータシャフト内の作業効率を向上できるアスベスト除去方法を提供することを目的とする。
【課題を解決するための手段】
【０００７】
請求項１に記載のアスベスト除去方法は、超高層エレベータシャフト内のアスベストを除去するアスベスト除去方法であって、前記エレベータシャフトに複数のフロアに亘る作業区画を設け、当該作業区画の下端に作業床を設ける工程と、前記作業床上に、前記作業区画の上端まで延びる仮設足場を設ける工程と、前記作業床および仮設足場を利用してアスベストを除去する工程と、を備えることを特徴とする。
【０００８】
この発明によれば、作業区画の下端にのみ作業床を設け、この作業床上に作業区画の上端までの延びる仮設足場を設けた。つまり、従来技術と異なり、作業床を設置する箇所をできる限り少なくした。したがって、仮設足場を組み立てる際に作業床で水平養生できるので、資材や工具が仮設足場上から落下した場合でも、この落下した資材や工具が作業床より下に落下することはない。よって、作業の安全性を確保できるうえに、超高層エレベータシャフト内の作業効率を向上できる。
また、作業区画同士を作業床で仕切ることにより、作業床の架設が完了した作業区画から順番にアスベストを除去できるので、複数の作業区画で同時に作業でき、工期を短縮できる。
【０００９】
請求項２に記載のアスベスト除去方法は、前記作業区画の高さを、３１ｍ未満とすることを特徴とする。
【００１０】
この発明によれば、作業区画の高さを３１ｍ未満としたので、仮設足場をそれほど高くまで架設する必要がないため、仮設足場の建地を補強する必要がなく、仮設材にかかるコストを低減できる。
また、狭隘なスペースでの複雑な足場架設作業がなくなるので、施工費用を低減できるうえに、工期を短縮できる。
【００１１】
請求項３に記載のアスベスト除去方法は、前記作業床を、前記エレベータシャフト内に露出した建物本体梁材同士の間に架設された複数の大引き材と、当該大引き材同士の間に架設されたデッキプレートと、当該デッキプレート上に設置された複数の根太材と、を含んで構成することを特徴とする。
【００１２】
この発明によれば、作業床を、大引き材、デッキプレート、および根太材を含んで構成し、大引き材をエレベータシャフト内に露出した建物本体梁材に支持させたので、作業床をエレベータシャフト内で安全かつ確実に支持することができる。
【００１３】
請求項４に記載のアスベスト除去方法は、前記仮設足場を利用して当該仮設足場の直上の作業床を架設することで、最下階から上階に向かって順番に前記作業床および前記仮設足場を架設することを特徴とする。
【００１４】
この発明によれば、仮設足場を利用してこの仮設足場の直上の作業床を架設したので、作業床を安全かつ確実に架設することができる。
【００１５】
請求項５に記載のアスベスト除去方法は、前記仮設足場に２段毎に水平ネットを張って水平養生することを特徴とする。
【００１６】
この発明によれば、仮設足場に２段毎に水平ネットを張って水平養生したので、小さな資材や工具が仮設足場上から落下した場合でも、この落下した資材や工具が水平ネットに引っ掛かるため、作業の安全性を確保できる。
【００１７】
請求項６に記載のアスベスト除去方法は、前記エレベータシャフトには、複数のエレベータが収容され、前記複数のエレベータが収容されるそれぞれの空間ごとに、前記エレベータシャフトを中間仮設壁で仕切ることを特徴とする。
【００１８】
この発明によれば、複数のエレベータが収容されるそれぞれの空間ごとに、エレベータシャフトを中間仮設壁で仕切ったので、テナントビルのようにエレベータの稼働を完全に停止することが困難な建物であっても、最小限のエレベータ停止でアスベスト除去作業が可能となる。
【発明の効果】
【００１９】
本発明によれば、作業区画の下端にのみ作業床を設け、この作業床上に作業区画の上端までの延びる仮設足場を設けた。つまり、従来技術と異なり、作業床を設置する箇所をできる限り少なくした。したがって、仮設足場を組み立てる際に作業床で水平養生できるので、資材や工具が仮設足場上から落下した場合でも、この落下した資材や工具が作業床より下に落下することはない。よって、作業の安全性を確保できるうえに、超高層エレベータシャフト内の作業効率を向上できる。また、作業区画同士を作業床で仕切ることにより、作業床の架設が完了した作業区画から順番にアスベストを除去できるので、複数の作業区画で同時に作業でき、工期を短縮できる。
【図面の簡単な説明】
【００２０】
【図１】本発明の一実施形態に係るアスベスト除去方法が適用された建物のエレベータシャフトの平面図である。
【図２】前記実施形態に係る建物のエレベータシャフトのＡ−Ａ断面図である。
【図３】前記実施形態に係る建物のエレベータシャフトのＢ−Ｂ断面図である。
【発明を実施するための形態】
【００２１】
図１は、本発明の一実施形態に係るアスベスト除去方法が適用された超高層建物のエレベータシャフト１０の平面図である。図２は、エレベータシャフト１０のＡ−Ａ断面図であり、図３は、エレベータシャフト１０のＢ−Ｂ断面図である。
建物のエレベータシャフト１０には、２基のエレベータが収容される。このエレベータシャフト１０は、複数のフロアを鉛直方向に貫通しており、第１エレベータシャフト１１と、第２エレベータシャフト１２と、で構成される。
【００２２】
エレベータシャフト１０は、壁１４に囲まれており、このエレベータシャフト１０内には、各フロアレベルに設けられた７００Ｈの鉄骨梁である梁１３が露出している。
さらに、エレベータシャフト１０には、第１エレベータシャフト１１と第２エレベータシャフト１２とを仕切るように、中間仮設壁１５が設置されている。この中間仮設壁１５は、ＬＧＳ（軽量鉄骨）および石膏ボードを用いて、アスベスト除去作業を開始する前に設置される。これにより、エレベータシャフト１１、１２のうちの一方から他方にアスベストが飛散するのを防止できるから、２つのエレベータシャフト１１、１２のうちの一方では、エレベータを停止してアスベスト除去作業を行いつつ、他方のエレベータシャフトでは、エレベータを通常使用することが可能となる。
【００２３】
また、各エレベータシャフト１１、１２内には、図示しないエレベータかご、鉛直方向に延びてエレベータかごの移動を案内する一対の第１ガイドレール１６、および、鉛直方向に延びてカウンターウエイトの移動を案内する一対の第２ガイドレール１７が設けられる。さらに、図示しないが、各エレベータシャフト１１、１２内には、メインワイヤーなどの各種ワイヤー類が設けられている。
【００２４】
以上のエレベータシャフト１１内に、以下の手順で作業床２０および仮設足場３０を架設する。
まず、エレベータシャフト１１を上下方向に複数の作業区画Ｐに分割する。ここで、各作業区画Ｐの高さが、複数のフロアに亘りかつ３１ｍ未満となるようにする。以下、１つの作業区画Ｐおよびエレベータシャフト１１について説明するが、他の作業区画Ｐおよびエレベータシャフト１２についても同様の構成・手順である。
【００２５】
次に、作業床２０を架設する。
具体的には、最下階（１階）の作業区画Ｐにて、エレベータシャフト１１内に露出した建物本体の梁１３のアスベストを先行除去し、その後、これら梁１３同士の間に複数本の１２５Ｈの大引き材２１を架設し、これら大引き材２１同士の間にデッキプレート２３を敷設し、複数本の１００Ｈの根太材２２を架設する。このデッキプレート２３には、ガイドレール１６、１７や貫通ワイヤーのみを隙間なく貫通させて、デッキプレート２３によりエレベータシャフト１１内を塞いで水平養生する。
【００２６】
次に、作業床２０上に作業区画Ｐの上端まで延びる仮設足場３０を組み立てる。
仮設足場３０は、根太材２２の上に配置された複数のベースジャッキ３１と、これらベースジャッキ３１の上に設けられた調整足場ユニット３２と、この調整足場ユニット３２の上に１３段積層された足場ユニット３３と、最上段の足場ユニット３３の上に取り付けられた手摺３４と、からなる。
【００２７】
足場ユニット３３は、一対の枠組足場４１と、これら一対の枠組足場４１間に設けられた階段部４２と、一対の枠組足場４１に支持された張出し足場４３と、からなる。
【００２８】
各枠組足場４１は、互いに対向配置された一対の建枠４１１と、これら建枠４１１間に架設された鋼製布板４１２と、一対の建枠４１１同士を連結する図示しない交差筋交いと、からなる。
張出し足場４３は、建枠４１１に取り付けられた複数のブラケット４３１と、これらブラケット４３１間に架設された足場板４３２と、からなる。
階段部４２は、階段枠と、この階段枠に取り付けられる階段専用手摺と、からなる。
【００２９】
次に、仮設足場３０に、２段毎に水平ネット５０を設けて、水平養生の後、中間仮設壁１５を設置する。
また、作業区画Ｐの最下端および中間階のフロアのエレベータホールに、エレベータ入口に繋がるセキュリティルーム５１を設ける。セキュリティルーム５１は、エアシャワーや更衣室を備え、作業員がエレベータシャフト内に入退出しても、アスベスト粉塵が建物内に飛散しないようにするための設備である。
さらに、作業床２０には、エレベータシャフト内を負圧に保ちつつアスベスト粉塵を集塵する図示しない負圧集塵装置を設ける。この負圧集塵装置のダクトを、セキュリティルームの真上を通してエレベータホール内まで延ばしておく。
【００３０】
次に、仮設足場３０を利用して、梁１３のアスベストを先行除去した後、この仮設足場３０の直上の作業床２０を架設する。これにより、最下階から上階に向かって順番に作業床２０および仮設足場３０を架設する。
【００３１】
作業床２０および仮設足場３０の架設が完了した後、これら作業床２０および仮設足場３０を利用してアスベストを除去し、次に、新規の耐火被覆を施工する。その後、仮設足場３０を解体し、作業床２０を解体する。なお、エレベータシャフト１２の新規の耐火被覆の施工が完了したら、このエレベータシャフト１２の仮設足場を解体する前に、中間仮設壁１５を解体する。
なお、本実施形態では、２つのエレベータシャフト１１、１２のうちの一方では、エレベータを停止してアスベスト除去作業を行うとともに、他方のエレベータシャフトでは、エレベータを通常使用する。
【００３２】
本実施形態によれば、以下のような効果がある。
（１）作業区画Ｐの下端にのみ作業床２０を設け、この作業床２０上に作業区画Ｐの上端までの延びる仮設足場３０を設けた。つまり、従来技術と異なり、作業床を設置する箇所をできる限り少なくした。したがって、仮設足場３０を組み立てる際に作業床２０で水平養生できるので、資材や工具が仮設足場３０上から落下した場合でも、この落下した資材や工具が作業床２０より下に落下することはない。よって、作業の安全性を確保できるうえに、超高層エレベータシャフト内の作業効率を向上できる。
また、作業区画Ｐ同士を作業床２０で仕切ることにより、作業床２０の架設が完了した作業区画Ｐから順番にアスベストを除去できるので、複数の作業区画Ｐで同時に作業でき、工期を短縮できる。
【００３３】
（２）作業区画Ｐの高さを３１ｍ未満としたので、仮設足場３０をそれほど高くまで架設する必要がないため、仮設足場３０の建地を補強する必要がなく、仮設材にかかるコストを低減できる。
また、狭隘なスペースでの複雑な足場架設作業がなくなるので、施工費用を低減できるうえに、工期を短縮できる。
【００３４】
（３）作業床２０を、大引き材２１、デッキプレート２３、および根太材２２を含んで構成し、大引き材２１をエレベータシャフト１１、１２内に露出した建物本体の梁１３に支持させたので、作業床２０をエレベータシャフト１１、１２内で安全かつ確実に支持することができる。
【００３５】
（４）仮設足場３０を利用してこの仮設足場３０の直上の作業床２０を架設したので、作業床２０を安全かつ確実に架設することができる。
【００３６】
（５）仮設足場３０に２段毎に水平ネット５０を張って水平養生したので、小さな資材や工具が仮設足場３０上から落下した場合でも、この落下した資材や工具が水平ネット５０に引っ掛かるため、作業の安全性を確保できる。
【００３７】
（５）エレベータシャフト１０に中間仮設壁１５を設置したので、テナントビルのようにエレベータの稼働を完全に停止することが困難な建物であっても、最小限のエレベータ停止でアスベスト除去作業が可能となる。
【００３８】
なお、本発明は前記実施形態に限定されるものではなく、本発明の目的を達成できる範囲での変形、改良等は本発明に含まれるものである。
例えば、上述の実施形態では、エレベータを２基としたが、これに限らず、エレベータが３基以上の場合でも、本発明を適用できる。
【符号の説明】
【００３９】
１０…エレベータシャフト
１１…第１エレベータシャフト
１２…第２エレベータシャフト
１３…梁
１４…壁
１５…中間仮設壁
１６…第１ガイドレール（かごレール）
１７…第２ガイドレール（ウエイトレール）
２０…作業床
２１…大引き材
２２…根太材
２３…デッキプレート
３０…仮設足場
３１…ベースジャッキ
３２…調整足場ユニット
３３…足場ユニット
３４…手摺
４１…枠組足場
４２…階段部
４３…張出し足場
５０…水平ネット
５１…セキュリティルーム
４１１…建枠
４１２…鋼製布板
４３１…ブラケット
４３２…足場板
Ｐ…作業区画
【図１】
2011201613.tif 000003
【図２】
2011201613.tif 000004
【図３】
2011201613.tif 000005